(57)【要約】【課題】開閉カバー開閉時に開閉ガイド部材と下流側ガイド部材との間で干渉が生じることを防止するとともに、開閉ガイド部材から下流側ガイド部材へと搬送されるシート材の搬送性の向上を図ることが出来るシート材搬送装置、並びに、これを備えた画像形成装置を提供する。【解決手段】転写紙Ｐに搬送力を付与する中間転写体６と、転写紙Ｐを案内する搬送ガイド部材と、回動することで覆っていた内部を露出させるジャム処理カバー５０とを備え、転写出口ガイド部材３１はジャム処理カバー５０の開閉動作によってジャム処理カバー５０とともに回動するように設けられ、転写出口ガイド部材３１の下流側に隣接するように定着入口ガイド部材１１が配置された定着前用紙搬送部２００において、転写出口ガイド部材３１は、転写出口搬送路Ｓ１における記録紙Ｐの搬送方向に沿った方向に、その下流側端部を移動可能なように取り付けられている。【選択図】図１
2013234011.tif 000002
【特許請求の範囲】
【請求項１】
シート材に搬送力を付与するシート材搬送手段と、
搬送力が付与されたシート材を所望の搬送方向に案内するようにシート材の搬送路を形成する複数の搬送ガイド部材と、
装置本体から退避する方向に移動することで覆っていた内部を露出させる開閉カバー部材とを備え、
該複数の搬送ガイド部材の一つである開閉ガイド部材は、該搬送路内のシート材のシート面に対して直交するシート面直交方向に移動可能で、該開閉カバー部材の開閉動作によって該開閉カバーとともに移動するように設けられ、該開閉ガイド部材の下流側に隣接するように下流側ガイド部材が配置されたシート材搬送装置において、
上記開閉ガイド部材は、形成する部分の上記搬送路におけるシート材の搬送方向に沿った方向に、その下流側端部を移動可能なように取り付けられていることを特徴とするシート材搬送装置。
【請求項２】
上記開閉カバーは、上記開閉動作として回動軸を中心に回動動作をすることで上記開閉動作を行い、
上記開閉ガイド部材は上記開閉カバーの回動動作とともに該回動軸を中心に回動することで、上記シート面直交方向に移動する構成であることを特徴とするシート材搬送装置。
【請求項３】
請求項１または２のシート材搬送装置において、
上記開閉カバーの開閉動作に連動して上記開閉ガイド部材を開閉カバーに対して変位させる開閉ガイド変位機構を備えることを特徴とするシート材搬送装置。
【請求項４】
請求項１乃至３の何れか一項に記載のシート材搬送装置において、
上記開閉カバーの開閉動作時には、上記開閉ガイド部材が上記下流側ガイド部材に干渉しない位置まで該開閉ガイド部材の搬送方向下流側端部を搬送方向に沿って搬送方向上流側に移動するように開閉ガイド部材を該開閉カバーに対して移動させた状態で開閉動作を行うことを特徴とするシート材搬送装置。
【請求項５】
請求項１乃至４の何れか一項に記載のシート材搬送装置において、
上記開閉ガイド部材を上記下流側ガイド部材に対して位置決めを行う位置決め手段を備えることを特徴とするシート材搬送装置。
【請求項６】
請求項１乃至５の何れか一項に記載のシート材搬送装置において、
上記開閉カバーの開閉動作に応じて、上記下流側ガイド部材の設置位置を変化させることを特徴とするシート材搬送装置。
【請求項７】
請求項１乃至６の何れか一項に記載のシート材搬送装置において、
上記開閉カバーの開閉動作に応じて、上記下流側ガイド部材の設置角度を変化させることを特徴とするシート材搬送装置。
【請求項８】
請求項１乃至７の何れか一項に記載のシート材搬送装置において、
上記下流側ガイド部材は、搬送されるシート材の種類に応じて設置位置または設置角度の少なくとも一方が変化することを特徴とするシート材搬送装置。
【請求項９】
トナー像をトナー像担持体の表面上に形成する画像形成手段と、
該トナー像担持体の表面上のトナー像をシート状の記録媒体に転写位置で転写する転写手段と、
該転写位置でトナー像が転写された記録媒体にトナー像を定着位置で定着する定着手段と、
該転写位置を通過した記録媒体を該定着位置に向けて搬送する記録媒体搬送手段とを備える画像形成装置において、
上記記録媒体搬送手段として、請求項１乃至８の何れか一項に記載のシート材搬送装置を用いることを特徴とする画像形成装置。
【請求項１０】
請求項９の画像形成装置において、
上記シート材搬送装置は、上記転写位置でおもて面にトナー像が転写されたシート状の記録媒体の裏面にトナー像が形成されているか否かによって、上記下流側ガイド部材の設置位置または設置角度を変化させることを特徴とする画像形成装置。
【発明の詳細な説明】
【技術分野】
【０００１】
本発明は、シート材を搬送するシート材搬送装置、並びにこのシート材搬送装置を備えた画像形成装置に関するものである。
【背景技術】
【０００２】
電子写真方式の画像形成装置では、給紙部から給紙された転写紙は、転写装置によってトナー像が転写され、トナー像が静電的に付着した状態になり、その後定着装置に搬送され、定着装置によってトナー像が転写紙に定着する。この転写定着間には、転写位置を通過した転写紙を定着ニップに案内するように転写紙の搬送路を形成する複数の搬送ガイド部材が設置されている。
この転写定着間の搬送路で、紙詰まり（以下、ジャムともいう）が生じた場合、複数の搬送ガイド部材の一部を搬送路から取り外して、その一部によって形成していた部分の搬送路を開放することによって、ジャムとなっていた転写紙を搬送路から取り出す構成が知られている（例えば、特許文献１）。
【０００３】
特許文献１の画像形成装置は、給紙から転写、定着において転写紙が鉛直方向に搬送される画像形成装置となっており、ジャム処理や定着装置等の交換のときに回動することで搬送路の一部を開放する開閉カバーを転写定着間の搬送路の側方に有している。この画像形成装置では、上述した複数の搬送ガイド部材として、転写出口搬送ガイド部材及び定着入口ガイド部材を備える。転写出口搬送ガイド部材は、転写位置を通過した転写紙を案内するように転写装置の出口側に設けられ、開閉カバーの開閉時の回動動作とともに回動するように設置されている。一方、定着入口ガイド部材は、転写出口搬送ガイド部材の下流側に隣接するように配置され、開閉カバーの開閉時の回動動作では移動しない定着装置の入口側に設置されている。
この画像形成装置では、ジャムが生じた場合には、開閉カバーを回動させることによって、転写出口搬送ガイド部材が開閉カバーとともに回動し、転写出口搬送ガイド部材が形成していた部分の搬送路を露出させることができ、ジャム処理を実施できる構成となっている。
【発明の概要】
【発明が解決しようとする課題】
【０００４】
特許文献１の画像形成装置の転写定着間の搬送路Ｓの概略図を図９に示す。二次転写部１２の転写位置を通過した転写紙Ｐは、転写出口搬送路Ｓ１及び定着入口搬送路Ｓ２を通過して定着装置１３の定着位置に到達する。転写定着間の転写紙Ｐの搬送性の観点からは転写出口ガイド部材３１の下流側端部と定着入口ガイド部材１１のガイド面（１１ｆ）とは近いほど好ましい。
【０００５】
しかしながら、転写出口ガイド部材３１と定着入口ガイド部材１１との配置は、開閉カバー（図示省略）の回動動作とともに転写出口ガイド部材３１が回動するときに互いに干渉しない配置とする必要がある。図９に示すように転写出口ガイド部材３１が転写出口搬送路Ｓ１を形成している状態から開閉カバーを回動させると、転写出口ガイド部材３１はその下流側端部が図９中の破線矢印αで示す円弧状の回動軌跡を通るように回動する。このとき、円弧の内側に定着入口ガイド部材１１が位置すると、転写出口ガイド部材３１と定着入口ガイド部材１１とが干渉し、開閉動作によって部材が破損するおそれがある。また、部品の製造精度や組み付け制度などを考慮した上で干渉を防止するためには、転写出口ガイド部材３１の下流側端部の回動軌跡の円弧と定着入口ガイド部材１１の上流側端部との間にある程度の隙間が形成されるように配置する必要がある。このように配置すると転写出口ガイド部材３１が転写出口搬送路Ｓ１を形成している状態で、転写出口ガイド部材３１の下流側端部と定着入口ガイド部材１１の上流側端部との間にある程度の隙間が生じてしまい、搬送性の向上を図ることが出来ないという問題がある。
【０００６】
上述した問題は、画像形成装置の転写定着間の搬送路においてシート状の転写紙を搬送する構成に限るものではない。シート材の搬送路を形成する複数の搬送ガイド部材と、複数の搬送ガイド部材の一部である開閉ガイド部材を支持して回動する開閉カバーとを有し、開閉カバーを回動することで搬送路の一部を開閉することできるシート材搬送装置であれば同様の問題が生じ得る。すなわち、開閉ガイド部材が搬送路を形成している状態で開閉ガイド部材の下流側に隣接するように配置された下流側ガイド部材と開閉ガイド部材との間で回動時の干渉を防止するように配置すると、二つのガイド部材の間に隙間が生じ、搬送性の向上を図ることが出来ないという問題が生じる。
また、上述した問題は、開閉カバー及び開閉ガイド部材が回動する構成に限るものではない。搬送路のうち形成している部分を通過するシート材のシート面に対して直交するシート面直交方向に移動可能に取り付けられ、シート面直交方向の移動によって搬送路の一部を開閉することできる開閉ガイド部材を備え、この開閉ガイド部材が開閉カバーの開閉動作とともに開閉動作を行うシート材搬送装置であれば同様の問題が生じ得る。
【０００７】
本発明は以上の問題点に鑑みなされたものであり、その目的は、開閉カバー開閉時に開閉ガイド部材と下流側ガイド部材との間で干渉が生じることを防止するとともに、開閉ガイド部材から下流側ガイド部材へと搬送されるシート材の搬送性の向上を図ることが出来るシート材搬送装置、並びに、これを備えた画像形成装置を提供することである。
【課題を解決するための手段】
【０００８】
上記目的を達成するために、請求項１の発明は、シート材に搬送力を付与するシート材搬送手段と、搬送力が付与されたシート材を所望の搬送方向に案内するようにシート材の搬送路を形成する複数の搬送ガイド部材と、装置本体から退避する方向に移動することで覆っていた内部を露出させる開閉カバー部材とを備え、該複数の搬送ガイド部材の一つである開閉ガイド部材は、該搬送路内のシート材のシート面に対して直交するシート面直交方向に移動可能で、該開閉カバー部材の開閉動作によって該開閉カバーとともに移動するように設けられ、該開閉ガイド部材の下流側に隣接するように下流側ガイド部材が配置されたシート材搬送装置において、上記開閉ガイド部材は、形成する部分の上記搬送路におけるシート材の搬送方向に沿った方向に、その下流側端部を移動可能なように取り付けられていることを特徴とすることを特徴とするものである。
【０００９】
本発明においては、開閉ガイド部材は、その下流側端部が搬送方向に沿った方向に移動可能である。よって、開閉カバーを開放するときには、例えば、手動や駆動装置による移動機構を用いて開閉ガイド部材の下流側端部を搬送方向に沿って搬送時よりも搬送方向上流側に移動させる。これにより、開閉カバーの開放動作とともに開閉ガイド部材をシート面から離れるようにシート面直交方向に移動するときに、二つのガイド部材間にある程度の距離を確保した状態で移動させることが可能となる。従って、搬送時の状態でそのままシート面直交方向に移動させると干渉する恐れがあるほどに二つのガイド部材が近接していても、搬送路を開放するときに開放ガイド部材と下流側ガイド部材との間で干渉が生じることを防止することが可能となる。
一方、開閉カバーを閉鎖するときには、上述した手動や駆動装置による移動機構を用いて開閉ガイド部材の下流側端部を搬送方向に沿って搬送時よりも搬送方向上流側に移動させた状態で、開閉カバーユニットの閉鎖動作とともに開閉ガイド部材をシート面に近づくようにシート面直交方向に移動させる。これにより、シート面直交方向への移動時には二つのガイド部材間にある程度の距離を確保することが可能となるため、搬送路を閉鎖するときに開閉ガイド部材と下流側ガイド部材との間で干渉が生じることを防止することが可能となる。
このように、本発明の構成では、搬送路を開放するとき、及び、搬送路を閉鎖するときの何れのシート面直交方向への移動においても開閉ガイド部材と下流側ガイド部材との間で干渉が生じることを防止することが可能となる。
また、搬送を行うときには、上述した手動や駆動装置による移動機構を用いて開閉ガイド部材をシート面直交方向に移動させるときよりも開閉ガイド部材の下流側端部を搬送方向下流側に移動させる。これにより、そのままシート面直交方向に開閉ガイド部材を移動させると二つのガイド部材が干渉する恐れがある位置まで開閉ガイド部材の下流側端部を下流側ガイド部材に対して近づけた状態で搬送を行うことが可能となるため、開閉ガイド部材から下流側ガイド部材へと搬送されるシート材の搬送性の向上を図ることが可能となる。
【発明の効果】
【００１０】
本発明によれば、開閉カバー開閉動作時に開閉ガイド部材と下流側ガイド部材との間で干渉が生じることを防止するとともに、開閉ガイド部材から下流側ガイド部材へと搬送されるシート材の搬送性の向上を図ることが可能となる。
【図面の簡単な説明】
【００１１】
【図１】実施形態に係る定着前用紙搬送部の概略説明図。
【図２】実施形態に係るプリンタの概略構成図。
【図３】ジャム処理カバーを開放した状態のプリンタの説明図。
【図４】実施例１のプリンタの説明図、（ａ）は、プリンタ１００全体の概略説明図、（ｂ）は、二次転写装置３０をジャム処理カバーに対してスライドさせる機構の拡大説明図。
【図５】実施例２のプリンタの説明図、（ａ）は、プリンタ１００の搬送路周辺の説明図、（ｂ）（ｄ）は、（ａ）中の矢印の先端が指す位置近傍の拡大説明図。
【図６】実施例２のプリンタにおける二次転写装置の変位を示す説明図。
【図７】変形例１の定着装置の斜視概略図。
【図８】変形例２の定着装置の斜視概略図。
【図９】従来例の転写定着間の搬送路の概略図。
【発明を実施するための形態】
【００１２】
以下、図面を用いて、本発明の実施の形態を説明する。
図２は、本発明の一実施形態に係るタンデム型中間転写方式のフルカラー画像形成装置（以下「プリンタ１００」という。）の構成例を示す概略構成図である。
プリンタ１００は、その中央部に駆動源としての駆動モータで回転駆動可能な像担持体としての無端ベルト状の中間転写体６を備えている。中間転写体６は、多層構造となっており、そのベース層は、伸びの少ない材料、例えば、フッ素樹脂やＰＶＤシート、ポリイミド系樹脂等で形成され、その表面はフッ素系樹脂等の平滑性のよいコート層で被われている。そして、中間転写体６は複数の支持部材としての四つの支持ローラ（１５，１６，１８，１９）に掛け回され、図中反時計回りに（図中の矢印方向に）回転可能に構成されている。第四支持ローラ１９の左側には、画像転写後に中間転写体６上に残留する残留トナーを除去するクリーニング手段としての中間転写体クリーニング装置７が設けられている。
【００１３】
また、第二支持ローラ１６と第三支持ローラ１８との間に張り渡された中間転写体６の張架部に対向するように、その表面移動方向に沿って、イエロー、シアン、マゼンタ及びブラックの四つの画像形成手段としての四つの作像装置１０（Ｙ，Ｃ，Ｍ，Ｂ）が横に並べて配置され、タンデム型画像形成部を構成している。このタンデム画像形成部の下方には、画像データに基づいて変調されたレーザ光Ｌを照射可能な光書き込み装置（露光装置５）が設けられている。
【００１４】
各色の作像装置１０（Ｙ，Ｃ，Ｍ，Ｂ）の構造は同一であり、それぞれ各色のトナー像が表面に形成される潜像担持体としての感光体ドラム１（Ｙ，Ｃ，Ｍ，Ｂ）を備えている。イエロー用作像装置１０Ｙは、図中の時計方向に回転駆動されるイエロー用感光体ドラム１Ｙの周囲に、イエロー用帯電装置２Ｙと、イエロー用現像装置３Ｙと、イエロー用クリーニング装置４Ｙとを備えている。イエロー用帯電装置２Ｙは、イエロー用感光体ドラム１Ｙの表面を帯電し、イエロー用現像装置３Ｙは、帯電後に露光装置５からのレーザ光Ｌによってイエロー用感光体ドラム１Ｙに形成された潜像を現像してトナー像を形成する。イエロー用クリーニング装置４Ｙは、トナー像を中間転写体６に転写した後のイエロー用感光体ドラム１Ｙに残留した現像剤としてのトナー等を除去する。
また、中間転写体６の張架部を間に挟んでイエロー用感光体ドラム１Ｙと対向する位置には、イエロー用感光体ドラム１Ｙ上のトナー像を中間転写体６に転写するための一次転写部材としてのイエロー用一次転写ローラ１７Ｙが配設されている。
他の三色の作像装置１０（Ｃ，Ｍ，Ｂ）についても、上述したイエロー用作像装置１０Ｙと同様に構成されている。
【００１５】
中間転写体６の第一支持ローラ１５に支持されている部分に対向する位置には、二次転写装置３０が配置されている。この二次転写装置３０は、各色の感光体ドラム１（Ｙ，Ｃ，Ｍ，Ｂ）からトナー像を一次転写して形成された中間転写体６上の合成カラー画像を被転写体（記録媒体）としての転写紙Ｐに転写する二次転写部１２を構成する。図示の例において、二次転写装置３０は、二次転写部材としての二次転写ローラ８と、第一支持ローラ１５に向かって二次転写ローラ８を加圧するスプリング等からなる不図示の加圧部材と、転写出口ガイド部材３１とを備えている。
【００１６】
二次転写装置３０の上方には、転写紙Ｐ上の転写画像（重ね合わせカラートナー像）を定着する定着装置１３が設けられている。定着装置１３は、加熱ローラ１３ａに加圧ローラ１３ｂが押し当てられ、加熱ローラ１３ａと加圧ローラ１３ｂとの接触対向部に定着ニップを形成し、その定着ニップにおいて転写紙Ｐ上のトナー像に熱と圧とを加えることで定着を行うように構成されている。
また、二次転写装置３０には、二次転写後の転写紙Ｐを定着装置１３へ搬送する搬送機能も備えている。二次転写ローラ８と定着装置１３の定着ニップとの間には、搬送ガイド部材として転写出口ガイド部材３１及び定着入口ガイド部材１１が設けられている。二次転写後の転写紙Ｐは、転写出口ガイド部材３１及び定着入口ガイド部材１１によって案内され、定着ニップに向かって移動するように搬送される。
【００１７】
また、被転写体（記録媒体）としての転写紙Ｐを二次転写部１２に向かって供給する被転写体供給手段は、ペーパーバンクに多段に設けられた複数の給紙カセット２６、図示しない手差しトレイ、各給紙カセット２６上の転写紙Ｐを送り出して供給する用紙供給部材としての給紙ローラ２７、レジストローラ対２８、給紙搬送ローラ対４１、給紙ガイド部材によって形成される給紙路（第一給紙路Ｓ３及び第二給紙路Ｓ４）等で構成されている。なお、図２では、複数の給紙カセット２６の一つについてのみ図示し他の給紙カセットについては図示を省略している。
【００１８】
プリンタ１００におけるカラー画像形成は、例えば次のように行われる。図示しない操作部のスタートスイッチが押下されると、駆動源としての図示しない駆動モータで四つの支持ローラ（１５，１６，１８，１９）の一つが駆動ローラとして回転駆動され、他の支持ローラが従動回転することにより、中間転写体６が所定回転方向に回転して表面移動される。
同時に各作像装置１０（Ｙ，Ｃ，Ｍ，Ｂ）において回転駆動された感光体ドラム１（Ｙ，Ｃ，Ｍ，Ｂ）にイエロー、シアン、マゼンタ及びブラックの単色画像が形成される。そして、中間転写体６の表面移動とともに各感光体ドラム１（Ｙ，Ｃ，Ｍ，Ｂ）上の単色画像それぞれが順次転写され、中間転写体６上に合成カラー画像（カラートナー像）が形成される。
【００１９】
また、上記スタートスイッチが押下されると、給紙ローラ２７の一つが選択されて回転駆動され、ペーパーバンクに多段に備える複数の給紙カセット２６の一つから転写紙Ｐが繰り出される。このとき、図示しない分離ローラで一枚ずつに分離された転写紙Ｐが給紙ローラ２７に繰り出されることで第一給紙路Ｓ３に入る。その後、給紙搬送ローラ対４１で搬送されてプリンタ１００本体内の第二給紙路Ｓ４に導かれ、レジストローラ対２８に突き当って止まる。
そして、中間転写体６上の合成カラー画像にタイミングを合わせてレジストローラ対２８が回転駆動され、中間転写体６と二次転写装置３０の二次転写ローラ８との間の二次転写ニップに転写紙Ｐが送り込まれ、二次転写装置３０で静電転写されることで転写紙Ｐ上にカラー画像が記録される。
【００２０】
画像転写後の転写紙Ｐは、二次転写装置３０から搬送され、搬送ガイド部材（３１及び１１）を介して定着装置１３へと送り込まれる。そして、転写紙Ｐは、定着装置１３の加熱ローラ１３ａと加圧ローラ１３ｂとが対向する定着ニップで熱と圧力とが加えられて転写画像が定着された後、排出ローラ対３９で装置外に排出され、排紙トレイ４０上にスタックされる。
【００２１】
一方、画像転写後の中間転写体６は、画像転写後に中間転写体６上に残留する残留トナーが中間転写体クリーニング装置７で除去され、タンデム画像形成部による再度の画像形成に備える。
【００２２】
図３は、図２の状態からジャム処理カバー５０を開放した状態のプリンタ１００の説明図である。プリンタ１００は装置正面から見て右側に転写紙Ｐの搬送路が形成されており、この搬送路のさらに右側に、回動中心軸部材２９を中心に回動可能なジャム処理カバー５０を備えている。ここで、回動中心軸部材２９は、搬送路Ｓ内の転写紙Ｐの表面と平行で、且つ、転写紙Ｐの搬送方向に直交する方向（図２及び図３の紙面に直行する方向）に平行な回動軸である。
上述した二次転写装置３０は、ジャム処理カバー５０の回動動作とともにプリンタ１００装置本体に対して回動する。そして、図３に示すように、ジャム処理カバー５０を開放した状態とすることにより、二次転写装置３０の下部ガイド面３０ａと転写出口ガイド部材３１とによって形成される搬送路、すなわち、レジストローラ対２８よりも下流側で、定着入口ガイド部材１１よりも上流側の搬送路が露出した状態となる。このような構成により、搬送ジャムが発生した場合には、図３に示すように、ジャム処理カバー５０を開放した状態とすることにより、搬送路を露出させてジャム処理を行えるようになる。
【００２３】
ジャム処理カバー５０の開閉に伴って二次転写装置３０も回動するため、二次転写装置３０が備える二次転写ローラ８及び転写出口ガイド部材３１も回動中心軸部材２９を中心に回動する構成となっている。ジャム処理カバー５０の開閉時の回動動作とともに転写出口ガイド部材３１が単純な回動移動するだけの構成では、回動によって転写出口ガイド部材３１が定着装置１３側の各部材に干渉しないように転写出口ガイド部材３１の搬送方向下流側端部の位置を決める必要がある。
プリンタ１００における転写から定着にかけて設置されている搬送ガイド部材（３１及び１１）について、シワなどの搬送品質を向上させるためには、転写出口ガイド部材３１の下流側端部の位置を定着入口ガイド部材１１のガイド面（１１ｆ）に可能な限り近づけ、搬送中の転写紙Ｐの姿勢を安定させることが望ましい。しかし、ジャム処理カバー５０の開閉に伴う転写出口ガイド部材３１の回動によって定着装置１３側の部材である定着入口ガイド部材１１に干渉してしまうことを避けるためには、転写出口ガイド部材３１の下流側端部の位置を定着入口ガイド部材１１のガイド面（１１ｆ）に対して干渉を防止するために必要な距離よりも近づけることができない。
【００２４】
次に、本発明の特徴部であるシート材搬送装置としての定着前用紙搬送部２００の構成について説明する。図１は、プリンタ１００における定着前用紙搬送部２００の概略説明図である。定着前用紙搬送部２００は、転写出口ガイド部材３１がジャム処理カバー５０の回動動作（図１中の破線矢印β）とともに回動（図１中の破線矢印α）した後、ジャム処理カバー５０に対して上方にスライドするように移動する（図１中の破線矢印β）構成となっている。以下、本発明の定着前用紙搬送部２００について詳細に説明する。
【００２５】
定着前用紙搬送部２００では、シート材である転写紙Ｐは、転写ニップに狭持され、中間転写体６の表面移動によって搬送力を付与されるため、中間転写体６はシート材搬送手段として機能する。また、搬送力が付与された転写紙Ｐを所望の搬送方向に案内し、定着装置１３の定着ニップまで案内する転写紙Ｐの搬送路Ｓを形成する複数の搬送ガイド部材として、転写出口ガイド部材３１、転写出口対向ガイド部材３１ａ、定着入口ガイド部材１１及び定着入口対向ガイド部材１１ａを備える。
【００２６】
さらに、定着前用紙搬送部２００は、開閉カバーとしてのジャム処理カバー５０を備える。ジャム処理カバー５０は、回動軸である回動中心軸部材２９を中心に回動する（図１及び図３中の破線矢印β方向及びその逆方向）ことで複数の搬送ガイド部材の一つである開閉ガイド部材としての転写出口ガイド部材３１を搬送路Ｓに対して接近方向及び離間方向（図１及び図３中の破線矢印α方向及びその逆方向）に回動させ、搬送路Ｓにおける転写出口ガイド部材３１が形成していた部分である転写出口搬送路Ｓ１の開閉を行う。
【００２７】
また、定着前用紙搬送部２００が備える複数の搬送ガイド部材のうち、転写出口ガイド部材３１の下流側に隣接するように配置された下流側ガイド部材である定着入口ガイド部材１１は、ジャム処理カバー５０とともには回動しない構成となっている。
ここまでの構成は、従来の画像形成装置の定着前用紙搬送部も備える構成である。安定した搬送性を確保するために転写出口ガイド部材３１の下流側端部を定着装置１３側の部材である定着入口ガイド部材１１に近づける必要があるが、従来の画像形成装置では、ジャム処理カバー５０の開閉で定着入口ガイド部材１１に転写出口ガイド部材３１の下流側端部が干渉してしまうおそれがある。
【００２８】
これに対して、本実施形態のプリンタ１００の定着前用紙搬送部２００は次のような構成を備える。
転写出口ガイド部材３１は、その下流側端部の回動中心軸部材２９からの距離が変化するようにジャム処理カバー５０内に対して変位可能である。具体的には、ジャム処理カバー５０の回動半径の径方向に平行な方向に転写出口ガイド部材３１がスライドすることで、転写出口ガイド部材３１がジャム処理カバー５０に対して変位する構成となっている。
【００２９】
そして、図３に示す状態からジャム処理カバー５０を破線矢印β方向に回動して搬送路Ｓを図２に示すように閉鎖するときには、転写出口ガイド部材３１は、図１及び図３中の破線矢印αで示すようにジャム処理カバー５０とともに回動する。これにより、転写出口ガイド部材３１は、図１中の破線で示す位置となる。このとき、転写出口ガイド部材３１とともに二次転写装置３０に固定された二次転写ローラ８も図１中の破線で示す位置となる。その後、転写出口ガイド部材３１は図１中の破線矢印γで示すようにジャム処理カバー５０に対して上方にスライドして図１中の実線で示す位置に到達する。プリンタ１００では搬送路Ｓでは下方から上方に向かって搬送するため、転写出口ガイド部材３１が上方にスライドすることで、その下流側端部が搬送方向に沿って搬送方向下流側に移動するようにジャム処理カバー５０に対して転写出口ガイド部材３１が変位することとなる。
【００３０】
このような構成により、回動時には二つのガイド部材間にある程度の距離を確保しつつ、その後のスライドによって、図１中の実線で示す転写出口ガイド部材３１のように、そのまま回動させると二つのガイド部材が干渉する恐れがある位置まで定着入口ガイド部材１１に対して転写出口ガイド部材３１の下流側端部を近づけることが出来る。また、回動時には二つのガイド部材間にある程度の距離を確保できることで、搬送路Ｓを閉鎖するときの回動時に転写出口ガイド部材３１と定着入口ガイド部材１１との間で干渉が生じることを防止することが出来る。
【００３１】
一方、図２に示す状態からジャム処理カバー５０を図３中の破線矢印β方向とは逆方向に回動して搬送路Ｓを図３に示すように開放するときには、転写出口ガイド部材３１は、まず、図１中の実線で示す位置から破線矢印γとは逆方向の下方に向かってスライドし、破線で示す位置に到達する。このとき、このとき、転写出口ガイド部材３１とともに二次転写装置３０に固定された二次転写ローラ８も図１中の破線で示す位置となる。上述したように搬送路Ｓでは下方から上方に向かう搬送方向であるため、転写出口ガイド部材３１が下方にスライドすることで、その下流側端部が搬送方向に沿って搬送方向上流側に移動するようにジャム処理カバー５０に対して転写出口ガイド部材３１が変位することとなる。その後、転写出口ガイド部材３１は、図１及び図３中の破線矢印βに沿って逆方向に回動するジャム処理カバー５０とともに、破線矢印αに沿って逆方向に回動する。
【００３２】
このような構成により、スライド動作によって二つのガイド部材間にある程度の距離を確保した状態で回動する。このため、スライド動作の前の状態が、図１中の実線で示す転写出口ガイド部材３１のように、そのまま回動させると干渉する恐れがあるほどに二つのガイド部材が近接していても、搬送路Ｓを開放するときの回動時に転写出口ガイド部材３１と定着入口ガイド部材１１との間で干渉が生じることを防止することが出来る。
【００３３】
上述したように、プリンタ１００では、ジャム処理カバー５０を開閉するときの転写出口ガイド部材３１の挙動として、ジャム処理カバー５０の開閉に伴う転写出口ガイド部材３１の回動移動に加え、転写出口ガイド部材３１に対して搬送方向に沿った上下方向の移動を行う。これにより、搬送路Ｓを開放するとき、及び、搬送路Ｓを閉鎖するときの何れの回動時においても転写出口ガイド部材３１と定着入口ガイド部材１１との間で干渉が生じることを防止することが出来る。
また、搬送路を開放するときの転写出口ガイド部材３１のスライド動作の前、及び、搬送路を閉鎖するときのスライド動作の後では、そのまま回動中心軸部材２９を中心に回動させると二つのガイド部材が干渉する恐れがある位置まで定着入口ガイド部材１１に対して転写出口ガイド部材３１の下流側端部を近づけることが出来る。このため、転写出口ガイド部材３１から定着入口ガイド部材１１へと搬送される転写紙Ｐの搬送性の向上を図ることが出来る。
【００３４】
また、搬送方向に沿うような上下方向のみの移動では、搬送路Ｓの露出のために転写出口ガイド部材３１を長距離移動させる必要があり、そのための収納スペースも確保しなければならない。これに対して、プリンタ１００のように、転写出口ガイド部材３１をジャム処理カバー５０とともに回動可能にすることで搬送路Ｓを容易に露出させることが可能となる。
【００３５】
転写出口ガイド部材３１と定着入口ガイド部材１１との間での転写紙Ｐの搬送性の向上を図る上では、転写出口ガイド部材３１と定着入口ガイド部材１１とで搬送方向についての隙間が生じないように配置することが望ましい。このように配置するためには、図１の実線で示す転写出口ガイド部材３１と定着入口ガイド部材１１との位置関係のように、転写出口ガイド部材３１の下流側端部が定着入口ガイド部材１１の上流側端部よりも搬送方向下流側に位置するように配置することが考えられる。このような配置の場合、転写出口ガイド部材３１の下流側端部が定着入口ガイド部材１１の上流側端部よりも搬送路Ｓの内側（図１中の左側）に位置する必要がある。これは、転写出口ガイド部材３１の下流側端部が定着入口ガイド部材１１の上流側端部よりも外側にあると、転写出口ガイド部材３１に案内されたその下流側端部まで転写紙Ｐが到達すると、それよりも内側にある定着入口ガイド部材１１の上流側端部に突き当たり、または、定着入口ガイド部材１１の上流側端部の外側に案内されることで、ジャムが発生し易くなるためである。
【００３６】
しかし、転写出口ガイド部材３１がジャム処理カバー５０とともに回動するのみの構成であると、回動動作を行ったときに、定着入口ガイド部材１１の上流側端部よりも搬送路Ｓの内側に位置する転写出口ガイド部材３１の下流側端部が定着入口ガイド部材１１に接触し、二つの搬送ガイド部材の間に干渉が生じてしまう。
これに対して、本実施形態のプリンタ１００では、転写出口ガイド部材３１がジャム処理カバー５０ともに移動する回動動作とは別に、搬送方向に沿った上下方向の移動も行うため、転写紙Ｐを搬送するときには、転写出口ガイド部材３１の下流側端部が定着入口ガイド部材１１の上流側端部よりも搬送路Ｓの内側に位置する構成であっても、二つの搬送ガイド部材の間に干渉が生じることなく、ジャム処理カバー５０の開閉動作を行うことができる。
【００３７】
また、プリンタ１００は、転写出口ガイド部材３１における搬送方向下流側端部よりも上流側端部の方が回動中心軸部材２９に近い構成、すなわち、転写出口ガイド部材３１における搬送方向下流側ほど回動半径が大きくなる構成となっている。そして、このような構成では、転写出口ガイド部材３１において回動半径が最も大きくなる下流側端部とその下流側に隣接するように配置された定着入口ガイド部材１１とが接触し易く、二つの搬送ガイド部材間に干渉が生じ易い。これに対して、プリンタ１００では、転写出口ガイド部材３１がジャム処理カバー５０ともに移動する回動動作とは別に、搬送方向に沿った上下方向の移動も行うため、転写出口ガイド部材３１の下流側端部の回動半径が大きくなる構成であっても、二つの搬送ガイド部材間に干渉が生じることを防止できる。
【００３８】
定着前用紙搬送部２００のように、転写定着間の転写紙Ｐの搬送性を考えると、転写紙Ｐの先端が定着ニップに進入するときにはその衝撃によって搬送中の転写紙Ｐの姿勢が乱れることがある。転写紙Ｐの姿勢が乱れると、シワの発生等の搬送に悪影響を与える。この転写紙Ｐの姿勢の乱れは、転写出口ガイド部材３１の搬送方向下流側端部を定着ニップ側の定着入口ガイド部材１１に近づけることで抑制することができ、本実施形態のプリンタ１００では転写紙Ｐを搬送するときには、転写出口ガイド部材３１の搬送方向下流側端部は定着入口ガイド部材１１に近接した状態であるため、定着ニップ進入時に転写紙Ｐの姿勢が乱れることを抑制できる。
【００３９】
プリンタ１００では、搬送時にはそのまま回動させると定着入口ガイド部材１１と干渉する恐れがある位置にある転写出口ガイド部材３１を、上下方向に移動させることで回動時の干渉を防止しつつ、搬送時の搬送性の向上を図っている。
特許文献２には、ジャム処理作業時に画像形成装置以外のスペースを不要とする目的で、画像形成装置を上部装置と下部装置に分割してジャム処理時には上部装置を上方にスライドさせると開示されている。特許文献２に記載の画像形成装置をプリンタ１００とを比較すると、ジャム処理時に画像形成装置内の部材の上下移動で搬送経路を露出するという点では似ている点がある。しかし、特許文献２に記載の画像形成装置は、転写紙の搬送方向は水平方向であり、そのような画像形成装置における搬送ガイド部材の上下方向は本発明を適用した画像形成装置のように、搬送ガイド部材の一部を搬送方向に沿って移動させる構成とは全く異なるものである。
【００４０】
〔実施例１〕
次に、本発明を実現する具体的な構成の一つ目の実施例（以下、実施例１と呼ぶ）について説明する。図４は、実施例１のプリンタ１００の説明図であり、図４（ａ）は、実施例１のプリンタ１００全体の概略説明図であり、図４（ｂ）は、二次転写装置３０をジャム処理カバー５０に対してスライドさせる機構の拡大説明図である。また、図４（ａ）は、ジャム処理カバー５０については開放状態の位置のみ示しており、二次転写装置３０及びガイドフレーム３３については、ジャム処理カバー５０を開放した状態、及び、ジャム処理カバー５０を閉鎖した状態の両方の場合における位置を示している。このため、図４（ａ）では、二次転写装置３０及びガイドフレーム３３が、二箇所に示されているが、これは、開放時と閉鎖時との両方を示すものであり、これらの部材を二つずつ備えることを示すものではない。
また、図４（ｂ）中の破線矢印δ（δ１及びδ２）は、ジャム処理カバー５０を閉鎖したとき、後述する第一転写装置支持部材３２ａの軌跡を示すものである。
【００４１】
実施例１のプリンタ１００では、ジャム処理カバー５０は、その回動半径の径方向に平行な方向に延在し、ガイド対象をその延在方向にのみ変位可能とするガイドフレーム３３を備え、ガイドフレーム３３を介して転写出口ガイド部材３１を備えた二次転写装置３０を支持する構成となっている。
二次転写装置３０は、その側面（図４中の手前側および奥側の側面）にガイドフレーム３３によるガイド対象である転写装置支持部材３２（第一転写装置支持部材３２ａ及び第二転写装置支持部材３２ｂ）を備えている。この転写装置支持部材３２をガイドフレーム３３の内側に入れることで、二次転写装置３０はジャム処理カバー５０に対してガイドフレーム３３の延在方向、すなわち、ジャム処理カバー５０の回動半径の径方向、にのみスライド可能な構成となっている。また、ジャム処理カバー５０はスプリング等からなる転写装置付勢部材３４を備え、二次転写装置３０を回動中心軸部材２９に向けて付勢している。
【００４２】
実施例１のプリンタ１００では、ジャム処理カバー５０を開放すると、二次転写装置３０は転写装置付勢部材３４によって付勢され、ジャム処理カバー５０に対してスライド可能な範囲のうち、最も回動中心軸部材２９に近い位置となる。このとき、二次転写装置３０及びこれに固定された転写出口ガイド部材３１は、転写装置付勢部材３４による付勢によって第一転写装置支持部材３２ａがガイドフレーム３３の回動中心軸部材２９側の端部に突き当たることで、ジャム処理カバー５０における位置決めが成される。
【００４３】
ジャム処理カバー５０を開放した状態から図４中の破線矢印βで示すように、ジャム処理カバー５０を回動させると、ガイドフレーム３３によって回動半径の径方向以外の変位が規制され、ガイドフレーム３３の端部と転写装置付勢部材３４とによって径方向の位置決めがなされている二次転写装置３０は、ジャム処理カバー５０とともに回動する。このとき、転写出口ガイド部材３１は図１中の破線矢印αで示すように移動し、第一転写装置支持部材３２ａは、図４（ｂ）中の破線矢印δ１で示すように移動する。
【００４４】
実施例１のプリンタ１００は、図４（ｂ）に示すように、ジャム処理カバー５０の回動とともに回動する第一転写装置支持部材３２ａが突き当たる位置に、斜め方向に延在する上下方向ガイドフレーム６０を備える。ジャム処理カバー５０の回動動作によって破線矢印δ１で示すように移動した第一転写装置支持部材３２ａは、上下方向ガイドフレーム６０に突き当たることで回動中心軸部材２９を中心とした回動方向への移動が規制される。また、ガイドフレーム３３によって回動半径の径方向以外のジャム処理カバー５０に対する変位が規制されている。このため、第一転写装置支持部材３２ａは、転写装置付勢部材３４の付勢に抗してガイドフレーム３３の延在方向に変位しつつ、図４（ｂ）中の破線矢印δ２で示すように、上下方向ガイドフレーム６０に沿って斜め上方に移動する力が作用する。
【００４５】
このように第一転写装置支持部材３２ａに斜め上方の移動する力が作用することによって、第一転写装置支持部材３２ａを備える二次転写装置３０に固定された転写出口ガイド部材３１は図１中の破線矢印γで示すように斜め上方に移動する。
すなわち、実施例１のプリンタ１００では、図中破線矢印βで示す回動動作によってジャム処理カバー５０を閉め終わる前に、第一転写装置支持部材３２ａが上下方向ガイドフレーム６０に突き当たる。その後のさらなる回動動作によって、ガイドフレーム３３と上下方向ガイドフレーム６０との交点が上方に変位する。これにより、二次転写装置３０に斜め上方に向かう力が作用して、二次転写装置３０に固定された転写出口ガイド部材３１が図１中の破線矢印γで示すように斜め上方に移動する。そして、ジャム処理カバー５０を閉め終わると、転写出口ガイド部材３１は図１中の実線で示す位置に到達し、その下流側端部を定着入口ガイド部材１１に近接させることができる。
【００４６】
実施例１では、ジャム処理カバー５０を回動させたときに、ガイドフレーム３３と上下方向ガイドフレーム６０との交点が変位することを利用して、ジャム処理カバー５０の回動動作に連動して転写出口ガイド部材３１を上下方向に移動させる構成を実現している。
この交点の変位を利用して転写出口ガイド部材３１を上下方向に移動させる構成としては、転写装置付勢部材３４を備えていない構成であっても、二次転写装置３０がその自重によって上下方向ガイドフレーム６０に沿ってスライドすることで実現可能である。しかし、転写装置付勢部材３４を備えることで、ジャム処理カバー５０を開放したときに、ガイドフレーム３３に第一転写装置支持部材３２ａを突き当て、ジャム処理カバー５０に対する二次転写装置３０の位置決めを行うことができ、二次転写装置３０がジャム処理カバー５０に対してガタが生じることを防止できる。
【００４７】
また、特許文献１に記載の画像形成装置では、ジャム処理カバー５０を開放したときに、二次転写装置３０がジャム処理カバー５０に対して揺動可能な構成となっている。実施例１のように、ジャム処理カバー５０がガイドフレーム３３を介して二次転写装置３０を支持する構成の場合、二次転写装置３０の側面を構成し、二つの転写装置支持部材３２が設けられた側板をガイドフレーム３３の延在方向にのみ移動可能とする。そして、この側板に対して二次転写装置３０の本体を揺動可能な構成とすることで、本発明の特徴部を実現する実施例１の構成においても、ジャム処理カバー５０を開放したときに、二次転写装置３０がジャム処理カバー５０に対して揺動可能な構成とすることができる。
【００４８】
また、実施例１では、プリンタ１００本体側に設けられ、二次転写装置３０を斜め上方に案内する上下方向ガイドフレーム６０に突き当たる部材が第一転写装置支持部材３２ａである構成について説明した。しかし、二次転写装置３０を斜め上方に案内するプリンタ１００本体側のガイド部材に突き当たり、斜め上方に移動する力が作用する部材としては、第一転写装置支持部材３２ａに限らず、二次転写装置３０の一部を構成する部材であればよい。
【００４９】
実施例１では、上下方向ガイドフレーム６０を設けることで、ジャム処理カバー５０の回動動作に連動して二次転写装置３０が上下方向に移動する構成となっている。ジャム処理カバー５０にガイドフレーム３３を設けてジャム処理カバー５０の回動半径の径方向にのみ二次転写装置３０がスライド可能な構成では、二次転写装置３０の上下方向の移動がジャム処理カバー５０の回動動作に連動する構成に限るものではない。例えば、プリンタ１００装置本体側に手動または別途の駆動手段によって二次転写装置３０を上下方向にスライドさせる昇降装置を備え、ジャム処理カバー５０を閉め終わった状態で二次転写装置３０を上下方向に移動させる構成としてもよい。しかし、実施例１のように二次転写装置３０の上下方向の移動がジャム処理カバー５０の回動動作に連動する構成であれば、使用者はジャム処理カバー５０の開閉動作以外に動作を行う必要がないため操作性が高く、別途の昇降装置を設けることによるコスト高を抑制することが出来る。
【００５０】
〔実施例２〕
次に、本発明を実現する具体的な構成の二つ目の実施例（以下、実施例２と呼ぶ）について説明する。図５は、実施例２のプリンタ１００の説明図である。図５（ａ）は、実施例２のプリンタ１００の搬送路Ｓ周辺の説明図であり、図５（ｂ）〜図５（ｄ）は、図５（ａ）中の矢印の先端が指す位置近傍の拡大説明図である。また、図６は、実施例２のプリンタ１００における二次転写装置３０の変位を示す説明図である。
【００５１】
図５に示す実施例２のプリンタ１００は、二次転写装置３０と定着装置１３との干渉を回避するために、二次転写装置３０を上下方向移動させ、それ以外は、ジャム処理カバー５０に追従して回動させるように、ガイドフレーム３３がプリンタ１００装置本体に配置されている。さらに、二次転写ローラ８のローラ軸３６をガイドするローラ軸ガイドフレーム３５が、斜め方向に延在するようにプリンタ１００装置本体に配置されている。ジャム処理カバー５０の開閉時には、ローラ軸ガイドフレーム３５のガイドによって二次転写ローラ８は斜め方向に移動することになる。
【００５２】
二次転写装置３０はジャム処理カバー５０に支持されておらず、ジャム処理カバー５０を閉めるときには、ジャム処理カバー５０の内壁によって二次転写装置３０の右側壁面が押されることで、二次転写装置３０は二つのガイドフレーム（３３、３５）に案内されるように移動する。一方、ジャム処理カバー５０を開けるときには、二次転写装置３０の右側壁面を押すものがなくなるため、二次転写装置３０は、自重によって、ジャム処理カバー５０の内壁に突き当たる状態で二つのガイドフレームに案内されるように移動する。
また、ジャム処理カバー５０を開くと、図６に示すように、二次転写装置３０は、自重によって傾きながら二つのガイドフレーム（３３、３５）に沿って上下方向及び回動移動する。
【００５３】
このような構成によって二次転写装置３０は図５（ａ）中の破線矢印ηで示すように、実施例１と同様に回動に加えて上下方向に移動することができる。
【００５４】
転写出口ガイド部材３１は、二次転写ローラ８のローラ軸３６に対して位置決めされており、図５（ｄ）中の矢印で示すように、ローラ周方向に揺動するように動くことができる構成となっている。
また、本発明を適用したプリンタ１００では、二次転写装置３０が上下方向と回動を組み合わせた動きをするため、転写出口ガイド部材３１の設置位置精度（特にガイド部材の図中左右方向の偏差）が悪くなる場合があり、転写紙Ｐの搬送性を損ねる可能性がある。これに対して、実施例２のプリンタ１００では、転写出口ガイド部材３１の搬送方向下流側の非通紙面において位置決め用の突起部を設けており、定着装置下側板５１の突起部との接触によって、転写出口ガイド部材３１の位置精度を定着装置１３と同じ精度にすることで上記問題を回避している。
【００５５】
〔変形例１〕
次に、本発明を適用したプリンタ１００の定着装置１３についての一つ目の変形例（変形例１）について説明する。なお、変形例１の定着装置１３は上述した実施例１及び実施例２、その他、本発明を適用したプリンタ１００の何れの構成についても適用可能な構成である。
図７は変形例１の定着装置１３の斜視概略図である。
【００５６】
変形例１の定着装置１３は、定着装置１３における定着入口ガイド部材１１の設置位置を変更する構成である。図７に示す構成は、加圧ローラ１３ｂの接離カム５３による接離機構を備え、接離カム５３は図７中の矢印Ａで示すように回動可能であり、プリンタ１００本体の制御部による制御によって通紙直前に接離カム５３を所定の方向に回転させることによって加圧ローラ１３ｂが加熱ローラ１３ａに向けて移動し、定着ニップを形成する。
【００５７】
その際、接離カム５３は定着入口ガイド部材１１の非通紙面にも接触しており、加圧ローラ１３ｂの当接時に定着入口ガイド部材１１も移動する。定着入口ガイド部材１１の非通紙面は接離カム５３と常に接触するために、定着入口ガイド部材１１の非通紙面には圧縮バネ５４の一端が固定され、この圧縮バネ５４の他端は定着装置１３の筐体に固定されている。このような構成により、接離カム５３の矢印Ａ方向の回動によって、図中矢印Ｂで示すように、加圧ローラ１３ｂの接離移動と同じ動きを定着入口ガイド部材１１に与えることができる。
【００５８】
この構成は、転写出口ガイド部材３１の上下方向移動量が十分に確保できない場合や、定着入口ガイド部材１１が転写出口ガイド部材３１の下流側端部に接触するくらい下側に設置されている場合などに、転写出口ガイド部材３１の回動時に定着入口ガイド部材１１と転写出口ガイド部材３１とが干渉することを回避する目的で定着入口ガイド部材１１の設置位置を図７中の矢印Ｂで示すように変更する。
図７に示す変形例１では、定着入口ガイド部材１１の設置角度を変えずに設置位置のみを変更する構成になっており、定着入口ガイド部材１１の先端が加熱ローラ１３ａや加圧ローラ１３ｂに接触しない範囲で設置位置を変更する。
【００５９】
〔変形例２〕
次に、本発明を適用したプリンタ１００の定着装置１３についての二つ目の変形例（変形例２）について説明する。なお、変形例２の定着装置１３は上述した実施例１及び実施例２、その他、本発明を適用したプリンタ１００の何れの構成についても適用可能な構成である。
図８は変形例２の定着装置１３の斜視概略図である。
【００６０】
変形例２の定着装置１３は、定着装置１３における定着入口ガイド部材１１の設置角度を変更することで転写出口ガイド部材３１との干渉を回避する構成である。図８に示す変形例２の構成も、加圧ローラ１３ｂの接離カム５３による接離機構を備え、接離カム５３は図７中の矢印Ａで示すように回動可能であるが、変形例１と異なり接離カム５３は定着入口ガイド部材１１の非通紙面に接触しておらず、接離カム５３の回転は加圧ローラ１３ｂの接離移動にのみ寄与し、定着入口ガイド部材１１の角度変更には寄与しない。
【００６１】
変形例２の定着装置１３は、図８に示すように、定着入口ガイド部材１１の非通紙面に接触するカム部材として、接離カム５３とは別にガイド回動カム５５を備え、ガイド回動カム５５は、定着入口ガイド部材１１の非通紙面における搬送方向上流側に接触している。
定着入口ガイド部材１１の搬送方向下流側端部の位置は不図示の固定手段によって、定着装置１３に固定されており、実施例１と同様に、定着入口ガイド部材１１の非通紙面には圧縮バネ５４の一端が固定され、この圧縮バネ５４の他端は定着装置１３の筐体に固定されている。このような構成により、ガイド回動カム５５の矢印Ｃ方向の回動によって、図中矢印Ｄで示すように、その下流側端部を回動中心にして定着入口ガイド部材１１を回動させ、定着入口ガイド部材１１の設置角度を変えることができる。変形例２のように、定着入口ガイド部材１１の設置角度を変える構成であっても、定着入口ガイド部材１１の先端が加熱ローラ１３ａや加圧ローラ１３ｂに接触しない範囲で設置角度を変更する必要がある。
【００６２】
変形例２の定着装置１３では、ジャム処理カバー５０の開閉時には、定着入口ガイド部材１１の上流側端部が通紙を行うときよりも、図８中の右側に移動するように定着入口ガイド部材１１の設置角度を変更する。そして、通紙を行うときには、定着入口ガイド部材１１の上流側端部がジャム処理カバー５０の開閉時よりも図８中の左側に移動するように定着入口ガイド部材１１の設置角度を変更する。
【００６３】
変形例２では、ジャム処理カバー５０の開閉時での設置角度変更を説明したが、プリンタ１００において実際に様々な紙種、通紙モード（片面または両面）で通紙する場合において、紙種、通紙モード（片面または両面）に応じて通紙前に定着入口ガイド部材１１の設置角度を変更してもよい。搬送する転写紙Ｐに合わせた搬送条件となる定着入口ガイド部材１１の設置角度で転写紙Ｐの搬送を行うことで、より安定した搬送品質を提供することができる。
【００６４】
上述した実施形態では、下流側ガイド部材が板状のものを示したが、開閉ガイド部材の下流側に隣接して配置される下流側ガイド部材としては、シート材を案内するものであれば板状のものに限らない。例えば、ローラ部材でもよく、下流側ガイド部材の下流側に定着装置が隣接する構成であれば、下流側ガイド部材から定着ニップに転写紙を案内する構成であってもよい。この場合、定着ニップを形成するローラ部材の表面に下流側ガイド部材の下流側端部が近接するようにスライドさせる構成とする。
【００６５】
また、転写出口ガイド部材３１の下流側端部が搬送方向に沿うように移動する構成であれば、転写出口ガイド部材３１の変位はスライドに限らない。例えば、二次転写装置３０に対して回動させることで、転写出口ガイド部材３１をジャム処理カバー５０に対して回動させる構成としてよい。二次転写装置３０に設けたガイド部材回動軸を中心に回動させる構成であれば、ジャム処理カバー５０の回動軸である回動中心軸部材２９を中心に回動する場合よりも回動半径が小さいため、そのまま回動中心軸部材２９を中心に回動させると二つのガイド部材が干渉する恐れがある位置まで定着入口ガイド部材１１に対して転写出口ガイド部材３１の下流側端部を近づけることが出来る。
【００６６】
また、プリンタ１００は、転写紙Ｐを上方に搬送する縦搬送を行う定着前用紙搬送部２００に本発明を適用した構成であるが、本発明を適用するシート材搬送装置としては、水平方向にシート材を搬送する横搬送を行う構成であってもよい。
また、上述した実施形態では、本発明を適用したシート材搬送装置が、画像形成装置の定着前用紙搬送部２００である構成について説明したが、本発明を適用可能なシート材搬送装置はこれに限るものではない。シート材を搬送するもので開閉カバーの開閉動作とともにシート面に直交する方向に移動する開閉ガイド部材を備える構成であれば適用可能である。
また、開閉カバーの開閉動作時の動作は回動動作に限るものではなく、プリンタ１００のようにシート材の搬送路が上下方向の構成の場合、開閉カバーが水平方向にスライドする構成であっても適用可能である。このような構成の場合、開閉カバーの水平方向の移動とともに開閉ガイド部材も水平方向に移動する構成となる。
【００６７】
本発明におけるシート面直交方向への移動は、厳密にシート面に直交する方向のみへの移動に限るものではなく、上述したプリンタ１００が備える転写出口ガイド部材３１の回動による円弧を描く移動のように、シート面に直交する方向を含む方向への移動であって、シート面に平行な方向成分よりもシート面に直交する方向成分の方が大きい方向への移動のことである。
また、本発明における搬送方向に沿う方向への移動とは、厳密に搬送方向のみへの移動に限るものではなく、図１で示した定着前用紙搬送部２００のように、シート材の搬送方向が略鉛直上方であるのに対して開閉ガイド部材（転写出口ガイド部材３１）が斜め方向に上下に移動する構成であってもよく、開閉カバーの開閉動作とともにシート面直交方向へ移動する開閉ガイド部材の移動方向よりも搬送方向に平行な方向成分が大きな方向への移動のことである。
【００６８】
以上に説明したものは一例であり、本発明は、次の態様毎に特有の効果を奏する。
（態様Ａ）
転写紙Ｐ等のシート材に搬送力を付与する中間転写体６等のシート材搬送手段と、搬送力が付与されたシート材を所望の搬送方向に案内するようにシート材の搬送路Ｓ等の搬送路を形成する複数の搬送ガイド部材と、装置本体から退避する方向に移動することで覆っていた内部を露出させるジャム処理カバー５０等の開閉カバー部材とを備え、複数の搬送ガイド部材の一つである転写出口ガイド部材３１等の開閉ガイド部材は、搬送路内のシート材のシート面に対して直交するシート面直交方向に移動可能で、開閉カバー部材の開閉動作によって開閉カバーとともに移動するように設けられ、開閉ガイド部材の下流側に隣接するように定着入口ガイド部材１１等の下流側ガイド部材が配置された定着前用紙搬送部２００等のシート材搬送装置において、開閉ガイド部材は、形成する部分の搬送路におけるシート材の搬送方向に沿った方向に、その下流側端部を移動可能なように取り付けられているこれによれば、上記実施形態について説明したように、搬送路を開放するとき、及び、搬送路を閉鎖するときの何れの開閉動作時においても開閉ガイド部材と下流側ガイド部材との間で干渉が生じることを防止することが可能となり、搬送時には、そのままシート面直交方向に移動させると二つのガイド部材が干渉する恐れがある位置まで下流側ガイド部材に対して開閉ガイド部材の下流側端部を近づけることが出来るため、開閉ガイド部材から下流側ガイド部材へと搬送されるシート材の搬送性の向上を図ることが出来る。
（態様Ｂ）
態様Ａにおいて、ジャム処理カバー５０等の開閉カバーは、回動中心軸部材２９等の回動軸を中心に回動することで開閉動作を行い、転写出口ガイド部材３１等の開閉ガイド部材は開閉カバーの回動動作とともに回動軸を中心に回動することで、シート面直交方向に移動する構成である。これによれば、上記実施形態について説明したように、開閉カバー及び開閉ガイド部材を回動させることで、容易に搬送路を露出させることができ、ジャム処理が容易となる。
（態様Ｃ）
態様Ａまた態様Ｂにおいて、ジャム処理カバー５０等の開閉カバーの開閉動作に連動して転写出口ガイド部材３１等の開閉ガイド部材を開閉カバーに対して変位させるガイドフレーム３３及び上下方向ガイドフレーム６０等の開閉ガイド変位機構を備える。これによれば、上記実施形態について説明したように、高い操作性とコスト高の抑制とを実現できる。
（態様Ｄ）
態様Ａ乃至Ｃの何れか一つの態様において、ジャム処理カバー５０等の開閉カバーの開閉動作時には、転写出口ガイド部材３１等の開閉ガイド部材が定着入口ガイド部材１１等の下流側ガイド部材に干渉しない位置まで開閉ガイド部材の搬送方向下流側端部を搬送方向に沿って搬送方向上流側に移動するように開閉ガイド部材を開閉カバーに対して移動させた状態で開閉動作を行う。これによれば、上記実施形態について説明したように、開閉ガイド部材と下流側ガイド部材との干渉を確実に防止することができる。
（態様Ｅ）
態様Ａ乃至態様Ｄの何れか一つの態様において、転写出口ガイド部材３１等の開閉ガイド部材を定着入口ガイド部材１１等の下流側ガイド部材に対して位置決めを行う位置決め用の突起部等の位置決め手段を備える。これによれば、上記実施例２について説明したように、開閉ガイド部材の下流側端部が下流側ガイド部材に近づけられるため、開閉ガイド部材は下流側ガイド部材に位置決めされることで、開閉ガイド部材と下流側ガイド部材ガイド部材との間の位置精度が確保され、搬送性が向上する。
（態様Ｆ）
態様Ａ乃至態様Ｅの何れか一つの態様において、ジャム処理カバー５０等の開閉カバーの開閉動作に応じて、定着入口ガイド部材１１等の下流側ガイド部材の設置位置を変化させる。これによれば、上記変形例１について説明したように、開閉ガイド部材と下流側ガイド部材との干渉をより確実に防止することが可能となる。
（態様Ｇ）
態様Ａ乃至態様Ｆの何れか一つの態様において、ジャム処理カバー５０等の開閉カバーの開閉動作に応じて、定着入口ガイド部材１１等の下流側ガイド部材の設置角度を変化させる。これによれば、上記変形例２について説明したように、開閉ガイド部材と下流側ガイド部材との干渉をより確実に防止することが可能となる。
（態様Ｈ）
態様Ａ乃至態様Ｇの何れか一つの態様において、定着入口ガイド部材１１等の下流側ガイド部材は、搬送されるシート材の種類に応じて設置位置または設置角度の少なくとも一方が変化する。これによれば、上記変形例２について説明したように、搬送されるシート材の剛性に応じてシート材が下流側の搬送路に進入する角度を変化させることによって、あらゆる種類のシート材に対して安定した搬送品質を提供できる。
（態様Ｉ）
トナー像を中間転写体６等のトナー像担持体の表面上に形成するタンデム画像形成部等の画像形成手段と、トナー像担持体の表面上のトナー像をシート状の転写紙Ｐ等の記録媒体に転写位置で転写する二次転写装置３０等の転写手段と、転写位置でトナー像が転写された記録媒体にトナー像を定着位置で定着する定着装置１３等の定着手段と、転写位置を通過した記録媒体を定着位置に向けて搬送する記録媒体搬送手段とを備えるプリンタ１００等の画像形成装置において、記録媒体搬送手段として、態様Ａ乃至Ｈの何れか一つの態様の定着前用紙搬送部２００等のシート材搬送装置を用いる。これによれば、上記実施形態について説明したように、ジャム処理の容易さを損ねることなく、安定した搬送品質を提供することができる。
（態様Ｊ）
態様Ｉにおいて、定着前用紙搬送部２００等のシート材搬送装置は、転写位置でおもて面にトナー像が転写されたシート状の転写紙Ｐ等の記録媒体の裏面にトナー像が形成されているか否かによって、すなわち両面プリント時の第一面に転写した後か、第二面に転写した後かによって定着入口ガイド部材１１等の下流側ガイド部材の設置位置または設置角度を変化させる。これによれば、上記実施形態について説明したように、薄紙のような両面プリント時の第一面と第二面とで搬送中の挙動が異なる記録媒体に対しても安定した搬送品質を提供できる。
【符号の説明】
【００６９】
１  感光体ドラム
５  露光装置
６  中間転写体
８  二次転写ローラ
１０  作像装置
１１  定着入口ガイド部材
１２  二次転写部
１３  定着装置
２８  レジストローラ対
２９  回動中心軸部材
３０  二次転写装置
３１  転写出口ガイド部材
３２  転写装置支持部材
３３  ガイドフレーム
３４  転写装置付勢部材
３５  ローラ軸ガイドフレーム
３６  ローラ軸
５０  ジャム処理カバー
６０  上下方向ガイドフレーム
１００  プリンタ
２００  定着前用紙搬送部
Ｐ  転写紙
Ｓ  搬送路
Ｓ１  転写出口搬送路
Ｓ２  定着入口搬送路
【先行技術文献】
【特許文献】
【００７０】
【特許文献１】特開２００８−３０３０２７号公報
【特許文献２】特開平０８−０３０１７８号公報
【図１】
2013234011.tif 000003
【図２】
2013234011.tif 000004
【図３】
2013234011.tif 000005
【図４】
2013234011.tif 000006
【図５】
2013234011.tif 000007
【図６】
2013234011.tif 000008
【図７】
2013234011.tif 000009
【図８】
2013234011.tif 000010
【図９】
2013234011.tif 000011